(57)【要約】【課題】カウンターの構造を複雑にすることなくシンク部分に複数のスライド部材をスライド可能に配設して、使い勝手と清掃性を向上させ得る流し台を提供する。【解決手段】シンクを有するカウンターを備えた流し台であって、カウンターのシンク周縁に平坦な載置面を形成し、該載置面上に載置可能な脚部を有して左右方向にスライド可能に配設した第１のスライド部材と、第１のスライド部材の脚部より内側の載置面上に載置可能な支持部を有して第１のスライド部材の内側を通過可能であると共に左右方向にスライド可能に配設した第２のスライド部材と、を備える。また、載置面の外周縁部に設けられ第１のスライド部材を左右方向に略平行に案内する第１のガイド部と、第２のスライド部材に設けられシンクの前後の側面に沿って第２のスライド部材を左右方向に略平行に案内する第２のガイド部と、を備える。【選択図】  図６
2008188199.tif 000002
【特許請求の範囲】
【請求項１】
シンクを有するカウンターを備えた流し台であって、前記カウンターのシンク周縁に平坦な載置面を形成し、該載置面上に載置可能な脚部を有して左右方向にスライド可能に配設した第１のスライド部材と、該第１のスライド部材の脚部より内側の載置面上に載置可能な支持部を有して前記第１のスライド部材の内側を通過可能であると共に左右方向にスライド可能に配設した第２のスライド部材と、を備えることを特徴とする流し台。
【請求項２】
前記載置面の外周縁部に設けられ前記第１のスライド部材を左右方向に略平行に案内する第１のガイド部と、前記第２のスライド部材に設けられ前記シンクの前後の側面に沿って第２のスライド部材を左右方向に略平行に案内する第２のガイド部と、を備えることを特徴とする請求項１に記載の流し台。
【発明の詳細な説明】
【技術分野】
【０００１】
本発明は、システムキッチン等に使用される流し台に係わり、特にシンク部分に水切りプレートやまな板等のスライド部材を備えた流し台に関する。
【背景技術】
【０００２】
従来、流し台のシンク部分には、例えば特許文献１及び特許文献２に示すように、水切りプレートやまな板等のスライド部材が左右方向にスライド可能に配設されている。このうち特許文献１に開示の流し台は、カウンターのシンク部分に段差状の案内レール部を設け、この案内レール部上に１枚の水切りプレートを載置することにより、水切りプレートを左右方向にスライド可能に配設したものである。また、特許文献２に開示の流し台は、カウンターのシンク部分に深さの異なる２つの段差を設け、各段差上に水切りプレートと小水槽を載置することにより、水切りプレートと小水槽を独立して左右方向にスライド可能に配設したものである。
【特許文献１】特開平１１−１８８５６号公報
【特許文献２】特開平９−７５１５１号公報
【発明の開示】
【発明が解決しようとする課題】
【０００３】
しかしながら、特許文献１に開示の流し台においては、シンク部分に水切りプレートや水切り籠等の複数のスライド部材を独立してスライド可能に配設することが困難で、流し台の使い勝手が劣る。この点、特許文献２に開示の流し台においては、複数のスライド部材を独立してスライドできて使い勝手の向上が図れるものの、カウンターのシンク部分に設けられる段差が２段となることから、流し台自体の構造が複雑となって例えばカウンターを人工大理石で製造する場合等にその製造が難しくなると同時に段差部の清掃性が劣ることになる。
【０００４】
本発明は、このような事情に鑑みてなされたもので、その目的は、カウンターの構造を複雑にすることなくシンク部分に複数のスライド部材をスライド可能に配設して、使い勝手と清掃性を向上させ得る流し台を提供することにある。
【課題を解決するための手段】
【０００５】
かかる目的を達成すべく、本発明のうち請求項１に記載の発明は、シンクを有するカウンターを備えた流し台であって、前記カウンターのシンク周縁に平坦な載置面を形成し、該載置面上に載置可能な脚部を有して左右方向にスライド可能に配設した第１のスライド部材と、該第１のスライド部材の脚部より内側の載置面上に載置可能な支持部を有して前記第１のスライド部材の内側を通過可能であると共に左右方向にスライド可能に配設した第２のスライド部材と、を備えることを特徴とする。
【０００６】
また、請求項２に記載の発明は、前記載置面の外周縁部に設けられ前記第１のスライド部材を左右方向に略平行に案内する第１のガイド部と、前記第２のスライド部材に設けられ前記シンクの前後の側面に沿って第２のスライド部材を左右方向に略平行に案内する第２のガイド部と、を備えることを特徴とする。
【発明の効果】
【０００７】
本発明のうち請求項１に記載の発明によれば、カウンターのシンク周縁に形成された平坦な載置面上に、その脚部が載置された第１のスライド部材と、この第１のスライド部材の脚部より内側の載置面上にその支持部が載置され、第１のスライド部材の内側を通過可能な第２のスライド部材とが左右方向にスライド可能に配設されるため、平坦な載置面によりカウンターの構造を複雑にすることなく、シンク部分に複数のスライド部材をスライド可能に配設できて、流し台の使い勝手と清掃性を向上させることができる。
【０００８】
また、請求項２に記載の発明によれば、請求項１に記載の発明の効果に加え、載置面の外周縁部に第１のスライド部材を左右方向に略平行に案内する第１のガイド部が設けられ、第２のスライド部材に第２のスライド部材を左右方向に略平行に案内する第２のガイド部が設けられるため、各ガイド部により各スライド部材を左右方向にスムーズにスライドさせることができて、流し台の使い勝手を一層向上させることができる。
【発明を実施するための最良の形態】
【０００９】
以下、本発明の実施の形態を図面に基づいて詳細に説明する。
図１〜図７は、本発明に係わる流し台の一実施形態を示し、図１がその平面図、図２が水切りプレートの平面図、図３がその正面図、図４が水切り籠の平面図、図５がその正面図、図６が図１のＡ−Ａ線に沿った断面図、図７が図６のＢ部の拡大図である。
【００１０】
図１に示すように、流し台１は、平面視で横長のカウンター２を有し、このカウンター２の一端側である左端側にはシンク３が設けられ、他端側である右端側にはコンロ台やＩＨヒータ等の調理器４が配設されるようになっている。なお、シンク３は、例えば人工大理石により成形され、同様に人工大理石により成形されたカウンター２のシンク取付用開口部に一体的に取り付けられている。
【００１１】
前記カウンター２のシンク部分には、シンク３を取り囲むように、シンク３より横長でカウンター２の表面より５ｍｍ程度の深さを有し、かつ略全域において平面状（面一）の段差部５が形成され、この段差部５の前後方向の所定幅の端部が本発明の平坦（段差や凹凸のない面状態で平滑等も含む）な載置面５ａを形成している。なお、載置面５ａは、後述する水切りプレート６や水切り籠７がその面上をスムーズに移動できるような平坦度に設定されている。
【００１２】
そして、この段差部５の載置面５ａ上に、スライド部材としての水切りプレート６（第１のスライド部材）と水切り籠７（第２のスライド部材）が、図１の矢印のイ、ロの如く右方向及び左方向にスライド可能に配設されている。この時、前記水切りプレート６は、図２及び図３に示すように、ステンレス板により形成されて外周部を除く部分に多数の水切り孔６ａが形成されると共に、プレート外周壁となる前後壁に樹脂製の滑り部材６ｃ（図７参照）が嵌装されることにより脚部６ｂが形成されている。また、前記水切り籠７は、図４及び図５に示すように、例えばステンレス棒を格子状に溶接することにより籠形状に形成された籠部７ａを有し、この籠部７ａの底面側の４箇所にはシンク３から取り外してカウンター２上に載置する際等に使用される脚７ｂが設けられると共に、籠部７ａの上端部の外周全域には、細幅のステンレス板からなる支持部７ｃが設けられている。
【００１３】
なお、水切りプレート６の脚部６ｂを形成する滑り部材６ｃの下端は断面が略円弧形状に形成され、水切りプレート６の前後幅は、前後一対の載置面５ａの外縁間の幅より僅かに小さく設定されると共に、プレート外周壁の下端から脚部６ｂの下端（滑り部材６ｃの下端）までの寸法は、水切り籠７の前記支持部７ｃの板厚寸法以上に設定されている。また、水切り籠７の前後幅は、水切りプレート６の前後幅より所定寸法小さく、かつシンク３の前後幅より所定寸法大きく設定されている。
【００１４】
そして、このように構成された水切りプレート６と水切り籠７は、図６及び図７に示すように、カウンター３の段差部５の載置面５ａ上に載置される。すなわち、水切りプレート６は、その前後一対の脚部６ｂが、載置面５ａの外側端部上に載置され、この水切りプレート６の載置状態において、脚部６ｂの内側に該脚部６ｂの前記寸法に対応した隙間８が形成された状態となっている。なお、前記カウンター２の段差部５の外周縁部９は、水切りプレート６の脚部６ｂの下端の断面略円弧形状に対応してアール形状に形成され、このアール形状の外周縁部９が、水切りプレート６の前後方向の移動を規制しつつ左右方向に略平行に案内するガイド部（第１のガイド部）として機能するようになっている。
【００１５】
また、前記水切り籠７は、その前後の支持部７ｃが載置面５ａ上で水切りプレート６の脚部６ｂの内側に載置され、この載置状態で籠部７ａを形成する前後の上部ステンレス棒１０（図５及び図６参照）がシンク３の前後の側面３ａに当接している。この上部ステンレス棒１０のシンク側面３ａへの当接により、水切り籠７の前後方向の移動が規制されつつ左右方向に略平行に案内されて、上部ステンレス棒１０がガイド部（第２のガイド部）として機能するようになっている。
【００１６】
そして、前記水切りプレート６が段差部５の左右幅方向の全域においてスライド可能で、前記水切り籠７がシンク３部分において左右方向にスライド可能となっており、例えば水切りプレート６と水切り籠７を図１に示す位置に配置して使用することができる。また、水切り籠７が水切りプレート６の内側を通過可能であって水切りプレート６と水切り籠７のスライド動作が互いに干渉しないことから、水切りプレート６をシンク３部分に配置して使用することもできるし、水切りプレート６の前記隙間８内に水切り籠７を位置させることにより、水切りプレート６と水切り籠７がシンク３部分で上下方向に重なる状態で使用することもできる。
【００１７】
さらに、水切り籠７は、シンク３部分から取り外した場合に、その脚７ｂを利用して段差部５のシンク３以外の部分に載置して内部に収容された収容物等の水切りを行うこともできる。つまり、カウンター２のシンク３の周囲に平坦な載置面５ａを形成し、この載置面５ａ上に載置される水切りプレート６の脚部６ｂ等の形状や水切り籠７の支持部７ｃ等の形状を前述したように設定することにより、水切りプレート６と水切り籠７が互いに干渉することなく左右方向に独立してスライド可能に配置できることになる。
【００１８】
このように、上記実施形態の流し台１にあっては、カウンター２にシンク３を取り囲むように外周部に平坦な載置面５ａを有する段差部５が形成され、この載置面５ａ上に、その脚部６ｂが載置された水切りプレート６と、この水切りプレート６の脚部６ｂより内側の載置面５ａ上にその支持部７ｃが載置された水切り籠７とが左右方向にスライド可能に配設されるため、段差部５を形成することで平坦な載置面５ａを形成できて、例えばカウンター２に２つの段差を設けることもなく、シンク３部分に水切りプレート６と水切り籠７をスライド可能に配設することができる。
【００１９】
特に、載置面５ａの外周縁部９が水切りプレート６を左右方向に略平行に案内するガイド機能を有すると共に、水切り籠７の上部ステンレス棒１０が該水切り籠７を左右方向に略平行に案内するガイド機能を有することから、両ガイド機能により水切りプレート６と水切り籠７を左右方向にスムーズにスライドさせることができる。その結果、水切りプレート６と水切り籠７を所望位置にスライドさせて使用することができて、流し台１の使い勝手を向上させることができると共に、カウンター２の段差部５が平坦な面であることから、その製造を容易に行うことができて、例えば人工大理石製のカウンター２の形状が複雑になることによる製造コストの増加を抑えること等が可能となる。
【００２０】
また、段差部５の載置面５ａが段差等のない平坦な面で形成されているため、段差部５の水洗いが可能になる等、２つの段差を有する場合に比較して、カウンター２の清掃を容易に行うことができる。また、水切りプレート６の脚部６ｂに、断面が略円弧形状の滑り部材６ｃが設けられているため、水切りプレート６自体のスライド動作を一層スムーズに行うことができると共に、載置面５ａへの傷付き防止を図ることができる。
【００２１】
図８は、本発明に係わる流し台の他の実施形態を示している。以下、上記実施形態と同一部位には同一符号を付して説明する。この実施形態の流し台１の特徴は、前記載置面５ａ上に前記水切りプレート６と水切り籠７の他に第３のスライド部材としてのまな板１１を左右方向にスライド可能に配設した点にある。すなわち、水切りプレート６の脚部６ｂの内側の載置面５ａ上に水切りプレート７の支持部７ｃを載置し、脚部６ｂの外側の載置面５ａ上にまな板１１の前後端部に設けた脚部１１ａを載置する。
【００２２】
この時、カウンター２に設けられる載置面５ａの幅を若干大きく設定したり段差部５の深さ寸法を若干大きく設定すること等により、水切りプレート６と水切り籠７及びまな板１１が互いに干渉することなく独立してスライド可能に形成されて、これらが例えばシンク３部分において上下方向に重ねることができるようになっている。この実施形態においても、複数のスライド部材をスライド可能に配設できて、上記実施形態と同様の作用効果が得られる他に、まな板１１もスライド可能に配設できて、流し台１の使い勝手を一層向上させることができる。
【００２３】
なお、上記各実施形態においては、水切り籠７の前後の上部ステンレス棒１０がシンク３の前後の側面３ａに共に当接することにより、左右方向の移動を略平行に案内したが、例えば前後の上部ステンレス棒１０が前後の一方の側面３ａにのみ当接する構造としても良い。また、上記各実施形態においては、段差部５の載置面５ａを水平な平坦面に形成したが、例えば図７の二点鎖線で示すように、載置面５ａを傾斜した平坦面として、水はけ性を向上させることもできる。
【００２４】
さらに、上記各実施形態における、水切りプレート６の全体及び脚部６ｂの形状、水切り籠７の全体形状及び支持部７ｃの形状等も一例であって、例えば水切り籠７の支持部７ｃや上部スンテレス棒１０に、水切りプレート６の脚部６ｂと同様に滑り部材を嵌装させて、スライド動作を一層スムーズに行ったりシンク３やカウンター２等への傷付き防止を図る等、本発明に係わる各発明の要旨を逸脱しない範囲において適宜に変更することができる。
【産業上の利用可能性】
【００２５】
本発明は、システムキッチン等に使用される流し台に限らず、例えば単独で設置される流し台にも利用できるし、シンクやカウンターの材質も人工大理石製に限らずステンレス製のシンクやカウンター等が使用される各種流し台にも利用できる。
【図面の簡単な説明】
【００２６】
【図１】本発明に係わる流し台の一実施形態を示す平面図
【図２】同水切りプレートの平面図
【図３】同その正面図
【図４】同水切り籠の平面図
【図５】同その正面図
【図６】同図１のＡ−Ａ線に沿った断面図
【図７】同図６のＢ部の拡大図
【図８】本発明に係わる流し台の他の実施形態を示す図６と同様の断面図
【符号の説明】
【００２７】
１・・・流し台、２・・・カウンター、２ａ・・・載置面、３・・・カウンター、３ａ・・・側面、４・・・調理器、５・・・段差部、５ａ・・・載置面、６・・・水切りプレート（第１のスライド部材）、６ｂ・・・脚部、６ｃ・・・滑り部材、７・・・水切り籠（第２のスライド部材）、７ａ・・・籠部、７ｂ・・・脚、７ｃ・・・支持部、８・・・隙間、９・・・外周縁部（第１のガイド部）、１０・・・上部ステンレス棒（第２のガイド部）、１１・・・まな板、１１ａ・・・脚部。
【図１】
2008188199.tif 000003
【図２】
2008188199.tif 000004
【図３】
2008188199.tif 000005
【図４】
2008188199.tif 000006
【図５】
2008188199.tif 000007
【図６】
2008188199.tif 000008
【図７】
2008188199.tif 000009
【図８】
2008188199.tif 000010